(57)【要約】  無線データカード（１０４）のディスプレイ（２０２）に情報を表示するための方法および無線データカード（１０４）の実施形態について記述する。一実施形態によれば、方法は、予め決められた期間での、無線データカード（１０４）とサービス・プロバイダ（１１０）と間で交換されたデータの合計量を判定するステップを含む。交換されたデータの判定された合計量は、無線データカード（１０４）のディスプレイ（２０２）にさらに表示される。一実施形態では、交換されたデータの合計量を判定するために、予め決められた期間内に、無線データカード（１０４）によって送信された少なくとも１つのデータ・パケットのサイズおよび無線データカード（１０４）によって受信された少なくとも１つのデータ・パケットのサイズが確認される。
2014525153.tif 000002
【特許請求の範囲】
【請求項１】
無線データカード（１０４）であって、該無線データカード（１０４）は、
ディスプレイ（２０２）と、
プロセッサ（２０４）と、
前記プロセッサ（２０４）に結合されたメモリ（２０６）と、
を具備し、前記メモリ（２０６）は、
予め決められた期間での、少なくとも前記無線データカード（１０４）とサービス・プロバイダ（１１０）との間で交換されたデータの合計量を判定するように構成されたデータ分析モジュール（２１２）と、
前記ディスプレイ（２０２）に少なくとも前記交換されたデータの合計量を提示するように構成されたディスプレイ・モジュール（２１６）と、
を具備する、無線データカード（１０４）。
【請求項２】
前記データ分析モジュール（２１２）は、前記無線データカード（１０４）によって送受信されたデータ・パケットのサイズに基づいて前記交換されたデータの合計量を計算するように構成されている、請求項１に記載の無線データカード（１０４）。
【請求項３】
前記メモリ（２０６）は、前記サービス・プロバイダ（１１０）と通信し、前記サービス・プロバイダ（１１０）から、使用に関係するデータ、前記交換されたデータの合計量、および課金情報のうちの１つまたは複数を受信するように構成された通信モジュール（２１４）を具備する、請求項１に記載の無線データカード（１０４）。
【請求項４】
前記通信モジュール（２１４）は、前記メモリ（２０６）に前記課金情報を格納し、前記通信モジュール（２１４）は、前記課金情報に基づいてユーザに課される金銭的な料金を評価するようにさらに構成されている、請求項３に記載の無線データカード（１０４）。
【請求項５】
通信モジュール（２１４）は、前記メモリ（２０６）に選好データを格納し、前記選好データは、前記交換されたデータの合計量の表示形式、課金情報の表示形式、前記予め決められた期間、および使用に関係するデータのうちの１つまたは複数を示す、請求項１に記載の無線データカード（１０４）。
【請求項６】
前記ディスプレイ（２０２）は、セグメント型ディスプレイ、エレクトロ・ルミネセンス・ディスプレイ（ＥＬＤ）、プラズマ・ディスプレイ・パネル（ＰＤＰ）、有機発光ダイオード（ＯＬＥＤ）、発光ダイオード（ＬＥＤ）ディスプレイ、液晶ディスプレイ（ＬＣＤ）、および薄膜トランジスタＬＣＤ（ＴＦＴ−ＬＣＤ）のうちの１つを含む、請求項１に記載の無線データカード（１０４）。
【請求項７】
前記データ分析モジュール（２１２）は、前記交換されたデータの合計量、および使用に関係するデータのうちの少なくとも１つに基づいて、前記無線データカード（１０４）に関連する課金情報を判定するようにさらに構成されている、請求項１に記載の無線データカード（１０４）。
【請求項８】
前記ディスプレイ・モジュール（２１６）は、前記ディスプレイ（２０２）に前記課金情報を表示するようにさらに構成されている、請求項７に記載の無線データカード（１０４）。
【請求項９】
メモリ（２０６）を備えるディスプレイ・システム（１０２）であって、前記メモリ（２０６）は、
予め決められた期間での、少なくとも無線データカード（１０４）とサービス・プロバイダ（１１０）との間で交換されたデータの合計量を判定するように構成された通信モジュール（２１４）と、
前記無線データカード（１０４）のディスプレイ（２０２）に少なくとも前記交換されたデータの合計量を表示するように構成されたディスプレイ・モジュール（２１６）と、
を具備する、
ディスプレイ・システム（１０２）。
【請求項１０】
前記ディスプレイ（２０２）は、数値ディスプレイ、英数字ディスプレイ、およびグラフィック・ディスプレイのうちの１つまたは複数である、請求項９に記載のディスプレイ・システム（１０２）。
【請求項１１】
無線データカード（１０４）に関連する情報を表示するための方法であって、
予め決められた期間での、少なくとも前記無線データカード（１０４）とサービス・プロバイダ（１１０）との間で交換されたデータの合計量を判定するステップと、
前記無線データカード（１０４）のディスプレイ（２０２）に少なくとも前記交換されたデータの合計量を表示するステップと、
を含む方法。
【請求項１２】
前記無線データカード（１０４）に関連するデータ・プランを受信するステップと、
前記交換されたデータの合計量および前記データ・プランに基づいて、前記無線データカード（１０４）の課金情報を評価するステップと、
前記無線データカード（１０４）の前記ディスプレイ（２０２）に前記課金情報を表示するステップと、
をさらに含む請求項１１に記載の方法。
【請求項１３】
前記無線データカード（１０４）に関連する使用に関係するデータを受信するステップと、
少なくとも１つのユーザ・ディスプレイの選好を識別するステップであって、前記交換されたデータの合計量は、前記使用に関係するデータおよび前記少なくとも１つのユーザの選好に基づいて表示されるステップと、
をさらに含む請求項１１に記載の方法。
【請求項１４】
前記使用に関係するデータは、前記無線データカード（１０４）に関連するデータ・プラン、前記無線データカード（１０４）に関連するデータ制限、および前記データ・プランに関連するデータ転送速度のうちの１つまたは複数を含む、請求項１３に記載の方法。
【請求項１５】
コンピュータ実行可能命令を有するコンピュータ可読媒体であって、前記命令が実行されると、
無線データカード（１０４）とサービス・プロバイダ（１１０）との間で交換されたデータの合計量を判定するステップと、
前記無線データカード（１１０）に関連するデータ・プランを識別するステップと、
前記交換されたデータの合計量および前記データ・プランに基づいて、前記無線データカード（１０４）の課金情報を評価するステップと、
前記無線データカード（１０４）のディスプレイ（２０２）に、前記課金情報、および前記交換されたデータの合計量のうちの少なくとも１つを表示するステップと、
を含む動作を実行する、コンピュータ可読媒体。
【発明の詳細な説明】
【技術分野】
【０００１】
本発明の主題は、情報の表示に関し、詳細には、これに限定しないが、無線データカードでの情報の表示に関する。
【背景技術】
【０００２】
通常、通信ネットワークは、コンピュータ、ラップトップ、およびＰＤＡなど、そのネットワークに接続されているさまざまなコンピューティング・デバイス間の通信リンクを提供するための媒体を含む。一般に、この媒体は、通信ネットワークに接続された異なるコンピューティング・デバイス間で通信リンクを提供するために、ルータ、スイッチ、および物理的なワイヤなど、一連の連結された資源を含む。コンピューティング・デバイス間のデータの交換を促進するために、伝送制御プロトコル／インターネット・プロトコル（ＴＣＰ／ＩＰ）、ユーザ・データグラム・プロトコル（ＵＤＰ）、データグラム・コンジェスチョン・コントロール・プロトコルなど（ＤＣＣＰ）など、複数のプロトコルが通信ネットワークに実装される。これらのプロトコルは、インターネット、イントラネット、ローカル・エリア・ネットワーク（ＬＡＮ）、または広域ネットワーク（ＷＡＮ）で使用され得る。
【０００３】
そのような複数のプロトコルは、有線ネットワークだけでなく、無線ネットワークにも実装することができる。無線ネットワーク接続の可用性は、ますます一般的になっており、以前はワイヤを敷設することが不自由または非常に高価だった多くの場所においてネットワークを利用することが可能になっている。無線ネットワーク通信リンクでは、異なるコンピューティング・システムおよびサービス・プロバイダを横断して情報を同報通信するために無線信号が使用される。このように、通信ネットワークに接続するための物理的なワイヤをなくすことで、ネットワークの構築が簡単かつ便利になった。しかし、無線で情報を交換するためには、無線送受信装置が必要である。無線送受信装置は、無線ネットワークへの接続を提供するために、情報を無線で送受信することができる。たとえば、無線ネットワークを通じて情報を交換するラップトップには、無線ネットワーク・カードが必要になる。
【０００４】
符号分割多元接続（ＣＤＭＡ）のＥｖｏｌｕｔｉｏｎ−Ｄａｔａ  ＯｐｔｉｍｉｚｅｄまたはＥｖｏｌｕｔｉｏｎ−Ｄａｔａ  Ｏｎｌｙ（ＥＶ−ＤＯ）、グローバル・システム・フォー・モバイル（ＧＳＭ）コミュニケーションズの高速ダウンリンク・パケット・アクセス（ＨＳＤＰＡ）など、無線ブロードバンド技術の出現により、無線ブロードバンドデータカードなどの無線ネットワーク送受信装置のハードウェアを使って、一般的に、複数の異なるサービス・プロバイダによって、スマートフォン、携帯電話、ラップトップなどのユーザのモバイル・デバイスで高速インターネットを利用できるようになっている。
【発明の概要】
【課題を解決するための手段】
【０００５】
この概要は、通信ネットワークにおける無線データカードでのデータ交換情報の表示に関係する概念を導入するために提供される。この概要は、特許請求される主題の必須の機能を識別することを意図するものではなく、また、特許請求の主題の範囲を決定または限定する際に使用することを意図するものでもない。
【０００６】
本発明の一実施形態によると、無線データカードのディスプレイに情報を表示するように構成された無線データカードが記述される。前述の実施形態では、無線データカードは、予め決められた期間における、無線データカードとサービス・プロバイダとの間で交換されたデータの合計量を判定するように構成されている。無線データカードは、無線データカードのディスプレイに、交換されたデータの判定された合計量を表示するようにさらに構成されている。一実施形態では、交換されたデータの合計量を判定するために、予め決められた期間内に、無線データカードによって送信された少なくとも１つのデータ・パケットのサイズおよび無線データカードによって受信された少なくとも１つのデータ・パケットのサイズが確認される。
【０００７】
本発明の他の実施形態によると、無線データカードのディスプレイに情報を表示するためのディスプレイ・システムが記述される。一実施形態によると、ディスプレイ・システムは、予め決められた期間における、無線データカードとサービス・プロバイダとの間で交換されるデータの合計量を判定するように構成されている。ディスプレイ・システムは、無線データカードのディスプレイに交換されたデータの判定された合計量を表示するようにさらに構成されている。
【０００８】
無線データカードに関連する情報を表示するための方法の実施形態が記述される。一実施形態では、方法は、予め決められた期間における、無線データカードとサービス・プロバイダとの間で交換されたデータの合計量を判定するステップと、無線データカードのディスプレイに交換されたデータの合計量をさらに表示するステップとを含む。本発明の別の実施形態では、方法は、無線データカードに関連するデータ・プランを受信するステップと、交換されたデータの合計量およびデータ・プランに基づいて、無線データカードの課金情報を評価するステップとを含む。前述の実施形態では、課金情報は、無線データカードのディスプレイに表示される。
【０００９】
本発明のさらに別の実施形態によると、１組のコンピュータ読み取り可能な命令を有するコンピュータ可読媒体が開示される。コンピュータ可読媒体のコンピュータ読み取り可能な命令は、実行されると、無線データカードとサービス・プロバイダとの間で交換されたデータの合計量を判定するステップを含む動作を実行する。動作は、また、無線データカードに関連するデータ・プランを識別するステップと、交換されたデータの合計量およびデータ・プランに基づいて、無線データカードの課金情報を評価するステップと、を含むことができる。さらに、動作は、無線データカードのディスプレイに課金情報を表示するステップを含むことができる。
【００１０】
添付の図を参照して詳細に記述する。図において、参照番号の左端の桁は、参照番号が最初に現れる図を示している。同様の機能およびコンポーネントを参照するために、全図を通じて同じ番号を使用する。本発明の実施形態によるシステムおよび／または方法の一部の実施形態について、例示のみを目的として、添付の図を参照して、ここに記述する。
【図面の簡単な説明】
【００１１】
【図１】本発明の一実施形態による無線データカードおよびディスプレイ・システムを利用するネットワーキング環境を概略的に示す図である。
【図２】本発明の一実施形態による無線データカードのディスプレイに情報を表示するための無線データカードを示す図である。
【図３】本発明の実施形態による、たとえば無線データカードとサービス・プロバイダとの間のデータ交換の情報を表示するための方法を示す図である。
【図４】本発明の一実施形態による無線データカードのディスプレイにユーザの課金情報を表示する方法を示す図である。
【発明を実施するための形態】
【００１２】
本明細書に記載のいかなるブロック図も、本発明の原理を具体化する実例となるシステムについての概念的な視点を表していることは当業者には自明であろう。同様に、そのようなコンピュータまたはプロセッサが明示的に示されているかどうかに関わりなく、いかなるフローチャート、流れ図、状態遷移図、擬似コードなども、コンピュータ可読媒体において本質的に表され、したがって、コンピュータまたはプロセッサによって実行できるさまざまな方法を表していることは理解されるであろう。
【００１３】
本発明は無線データカードについての情報を表示するための方法およびシステムに関する。典型的には、無線データカードは、コンピューティング・デバイスと通信ネットワークとの間で通信を可能にするために、通信ネットワークへの無線アクセスを可能にする送受信装置である。通信ネットワークとコンピューティング・デバイスと間で高速データ転送を提供するために、無線データカード・デバイスは、概して、たとえば、符号分割多元接続（ＣＤＭＡ）のＥｖｏｌｕｔｉｏｎ−Ｄａｔａ  ＯｐｔｉｍｉｚｅｄまたはＥｖｏｌｕｔｉｏｎ−Ｄａｔａ  Ｏｎｌｙ（ＥＶ−ＤＯ）、グローバル・システム・フォー・モバイル・コミュニケーションズ（ＧＳＭ）の高速ダウンリンク・パケット・アクセス（ＨＳＤＰＡ）技術など、さまざまな無線通信技術に基づいてサービス・プロバイダとデータを交換する。サービス・プロバイダは、ユーザによって使用されるスマートフォン、デスクトップ、およびラップトップなどのコンピューティング・デバイスと通信ネットワークとの間で高速データ転送を提供するそのような無線データカードを発行する。
【００１４】
典型的には、無線データカードを通じて高速データ転送を提供するために、サービス・プロバイダはユーザに異なるデータ・プランを提供する。そのようなデータ・プランは、概して、データの使用量に応じてユーザに課金するためにユーザへ提供される。さらに、そのようなデータ・プランは、たとえば、無線データカードとサービス・プロバイダとの間で予め決められた時間に交換できるデータの量を制限することができる。異なるデータ・プランでは、ユーザが、予め決められた時間における異なるデータ転送制限の中から選択することが可能になる。データ・プランは、また、予め決められた時間間隔の間のデータ転送について、サービス・プロバイダによってユーザに課金される額を示すことができる。さらに、データ転送制限を超えたデータ交換に対する料金もデータ・プランで提供され、プランによって変わることがある。
【００１５】
たとえば、ＨＳＤＰＡ技術で機能する無線データカードを利用することによってインターネットにアクセスするユーザは、１か月という予め決められた時間間隔について、通貨単位ｐという固定料金で、無線データカードとサービス・プロバイダとの間でｎギガ・バイト（ＧＢ）制限のデータ転送を許可するデータ・プランを選択することができる。また、データ・プランでは、指定された制限、ｎＧＢのデータに加えて交換されるｍキロ・ビット（Ｋｂ）のデータごとに通貨単位ｘの料金を指定することができる。データ・プランは、００：００から０６：００など、特別な時間またはサービス・タイムとして特定の期間をさらに指定することができ、その間のデータ転送の速度は、ｐＫｂ／秒を超えることも、またはそれ以下とすることもできる。したがって、無線データカードを通じてインターネットにアクセスする各ユーザに対して、ユーザのデータ転送制限を決定する、所定の課金構成を有するデータ・プランが関連づけられる。
【００１６】
典型的には、無線データカードがコンピューティング・デバイスとサービス・プロバイダとの間で接続を提供する予め決められた時間間隔の間に、交換されたデータの量を識別するために、ユーザは、コンピューティング・デバイスで実行されているアプリケーションを通じて前述のものを要求する必要があるか、または一意のユーザ識別情報（ＩＤ）およびパスワードを用いて、典型的にはサービス・プロバイダによってホストされているウェブ・ポータルにログインするべきである。言い換えると、交換されたデータの量を識別するために、ユーザは、コンピューティング・システムをオンにして、無線データカード・プロバイダによって提供されるソフトウェアまたはウェブ・ポータルを見る必要がある。
【００１７】
さらに、一部の状況では、顧客役員補佐などサービス・プロバイダの職員を通じて情報を収集することができる。さらに、特定の状況では、ユーザに利用可能になる情報はリアル・タイム更新ではなく、前日または現在時刻の数時間前までの使用量だけ利用可能になる。課金された額および期限となった支払いなど、他の情報を識別するために、ユーザは、アプリケーションまたはウェブ・ポータルからそのような情報を要求する同様のプロセスを経験する必要がある場合がある。よって、上記の状況では、交換されたデータの量および課金された額など、ユーザが無線データカードに関係する情報を識別するために、特定の動作が実施されることになる。そのような動作の多くは、関与する長々しいステップのために時間がかかり不便な場合があり、リアル・タイムに更新されたデータを利用できないために非効率的な場合がある。したがって、正確な情報をより便利に提供できる、ユーザのために無線データカードのデータ使用量を識別するために改良された方法および装置を有することは有利である。
【００１８】
本発明の一実装形態によると、無線データカードについての情報を表示するためのシステムおよび方法が記述される。本明細書に記述される無線データカードは、一方では、データ交換情報を表示するように、他方では、交換されたデータに基づいてユーザの課金情報を提供するように構成されている。前述の実装形態では、データ交換情報は、サービス・プロバイダから受信されたデータの量、およびサービス・プロバイダに送信されたデータの量を含むことができる。システムは、さまざまな無線データカードに実装することができる。上記の方法（複数可）を実装する無線データカードは、限定しないが、コンピューティング・システム外部のデータカード、コンピューティング・システム内部のデータカード、ＥＶ−ＤＯ技術を利用するデータカード、ＨＳＤＰＡ技術を利用するデータカードを含む。さらに、無線データカードは、限定しないが、インターネット・プロトコル・バージョン４（ＩＰｖ４）、インターネット・プロトコル・バージョン６（ＩＰｖ６）、インターネット制御メッセージ・プロトコル（ＩＣＭＰ）、インターネット制御メッセージ・プロトコル・バージョン６（ＩＣＭＰｖ６）、およびインターネット・グループ管理プロトコル（ＩＧＭＰ）を含むことができる異なるインターネット・プロトコルをサポートすることができる。
【００１９】
データ交換情報および課金情報を表示するために、一実装形態では、無線データカードによって送受信されたデータ・パケットの記録が保持される。前述の実装形態では、送受信されたデータ・パケットのサイズを判定し、格納することができる。各データ・パケットのサイズおよび交換されたデータ・パケットの数に基づいて、無線データカードとサービス・プロバイダとの間で交換されたデータの合計量が計算される。
【００２０】
たとえば、無線データカードは、それぞれ０．５ＭＢのデータ・パケットを３つ生成し、５つのデータ・パケットを受信することができ、そのうち２つはそれぞれ０．５ＭＢであり、３つのパケットはそれぞれ１ＭＢである。そのようなシナリオでは、無線データカードとサービス・プロバイダとの間で交換された、すべての８つのパケットの記録が維持され、合計量５．５ＭＢのデータ交換が計算される。
【００２１】
前述の実装形態では、無線データカードとサービス・プロバイダとの間で交換されたデータの合計量は、無線データカードのディスプレイに表示される。ディスプレイ・パネルは、無線データカードに統合することができる。他の実装形態では、受信されたデータの量および送信されたデータの量は、別々に表示される。無線データカードとサービス・プロバイダとの間で交換されたデータの合計量は、無線データカードによって受信されたデータおよび送信されたデータに依存するため、交換されたデータの合計量または受信および送信されたデータのいずれかの表現が、ユーザによるデータ使用量を表していることは理解されるであろう。さらに、データ交換情報が、ユーザの選好に基づいて、さまざまな方法でユーザに提供可能であることは理解されるであろう。
【００２２】
一実装形態では、無線データカードのディスプレイに表示される情報は、無線データカードとサービス・プロバイダとの間で交換されたデータの量に依存して、動的に変更することができる。送受信されたデータ・パケットはカウントすることができ、ユーザに最新の使用可能情報を提供するために、データ使用量情報は、無線データカードのディスプレイにリアル・タイムに更新することができる。
【００２３】
一実装形態では、データ交換情報の計算は、予め決められた期間に関する。情報の計算は、周期的／定期的でもよく、周期は、ユーザのデータ・プランに基づいて決定することができる。言い換えると、交換されたデータの合計量は、予め決められた時間から記録され、予め決められた時間の後に送受信されたデータ・パケットは、周期的に交換されるデータの合計量を評価するために利用される。
【００２４】
一実装形態では、予め決められた時間は、無線データカードのデータ・プランに基づいていてもよい。たとえば、ユーザが選択したデータ・プランにおいて、データ使用量制限が月ごとにリフレッシュされる場合、予め決められた時間は１か月に設定することができ、その月に交換されるデータは記録、表示され、その月に交換された合計データが評価される。次月に交換されたデータを評価するために、前月の間に交換されたデータを割引して、計上しないことができる。同様に、予め決められた時間が２か月または四半期に設定されている場合、システムは、２か月または四半期の間の無線データカードとサービス・プロバイダとの間で交換されたデータの記録を取り、その後に新しい記録を開始することができる。予め決められた期間は、データ・プランに基づくものと説明しているが、ユーザは、また、合計データ使用量の表示が望まれる期間を規定することができる。
【００２５】
さらに、データ交換履歴を見ることをユーザに許可することもできる。前回の期間のデータ交換情報は、ユーザ要求に基づいて格納および表示することができる。たとえば、１か月という予め決められた期間について、その月（たとえば９月）の間に交換されたデータの量を記録および表示することができる。同様に、１０月の間に交換されたデータの量について、１０月の間に交換されたデータが維持および表示される。さらに、９月の間に交換されたデータの量は、そのユーザ要求を識別した上で１０月に表示することもできる。
【００２６】
本発明の一実装形態によると、ユーザに関係する課金情報も評価することができる。本発明の一実施形態では、サービス・プロバイダは、ユーザに課される料金を識別するために通信することができ、次に課金情報を評価して、無線データカードに表示することができる。他の実施形態では、料金はユーザが入力することができる。ユーザによって提供される詳細に基づいて、次に、課金情報を評価することができる。また、当業者には、データの交換に対する料金は、無線データカードのデータ・プランによって規定されており、データ・プランおよびユーザによって変わることがあるということは理解されるであろう。
【００２７】
交換されるデータの合計量が記録され、課金情報が評価されることを説明してきたが、一実装形態では、課金の詳細および無線データカードによって交換されたデータの合計量は、サービス・プロバイダに直接的に要求することも、無線データカードに表示することもできる。
【００２８】
記述および図は、本発明の原理を示すにすぎないことを注意されたい。本明細書に明示的に記述して示していないが、本発明の原理を具体化し、その趣旨および範囲に含まれるさまざまな配置を当業者であれば考案できることは理解されるであろう。さらに、本明細書に列挙したすべての例は、原則として、読者が本発明の原理、およびその技術を推進する発明者（ら）によって提供された概念を理解するのを支援するために、教示のみを目的とすることを明確に意図するものであり、そのような具体的には列挙された例および条件に限定しないものとして解釈するべきである。さらに、本明細書において、本発明の原理、態様、および実施形態を列挙するすべての記述、ならびにその特定の例は、その等価物を包含することを意図するものである。
【００２９】
無線データカードのディスプレイに情報を表示するためのシステムおよび方法を実装するための手法は、図１〜図４において詳細に説明されるものとする。任意の数の異なる無線ネットワーク・デバイス、環境、および／または構成において、無線データカードのディスプレイに情報を表示するための記述されたシステムおよび方法の態様を実装することができるが、実施形態は、以下の例示的なシステム（複数可）の文脈において記述されている。
【００３０】
本明細書で使用する場合、間に（ｄｕｒｉｎｇ）、間（ｗｈｉｌｅ）、およびとき（ｗｈｅｎ）という単語は、開始動作のときに動作が即座に起こることを意味する正確な用語でなく、伝播遅延など、最初の動作と、最初の動作によって開始される反応との間に、小さいが妥当な遅延があってもよいことを当業者は理解するであろう。さらに、「接続される（ｃｏｎｎｅｃｔｅｄ）」という言葉が記述を明瞭にするために最後まで使用されており、直接接続または間接接続のいずれかを含むことができる。
【００３１】
図１は、本発明の実施形態による無線データカード１０４のディスプレイ・システム１０２を実装する無線ネットワーキング環境１００を示している。無線データカード１０４は、ユーザ装置１０６にインターネットなど通信ネットワーク１０８への無線アクセスを提供するためにユーザ装置１０６に接続される。この目的のために、無線データカード１０４は、通信ネットワーク１０８を介して、１つまたは複数のサービス・プロバイダ１１０−１、１１０−２、１１０−３、…、１１０−Ｎに結合される。
【００３２】
本発明の一実施形態では、ディスプレイ・システム１０２は、無線データカード１０４に統合されるが、さまざまな異なる実施形態では、ディスプレイ・システム１０２は、無線データカード１０４に統合されなくてもよい。ディスプレイ・システム１０２は、異なるタイプのユーザ装置１０６で機能できるさまざまなデータカードのいずれかに実装することができる。ユーザ装置１０６の例は、デスクトップおよびラップトップ、携帯電話、スマートフォンなど、ネットワークに通信できるコンピューティング・システムを含むことができる。さらに、データカードは、ユーザ装置１０６外部のデータカード、ユーザ装置１０６内部のデータカード、ＥＶ−ＤＯ技術を利用するデータカード、ＨＳＤＰＡ技術を利用するデータカードなど、さまざまなタイプのデータカードを含むことができる。さらに、ディスプレイ・システム１０２は、通信ネットワーク１０８へのアクセスを可能にするために、ユーザ装置１０６に接続できるワイヤレス・ユニバーサル・シリアル・バス（ＵＳＢ）アダプタおよびＷｉ−Ｆｉコネクタにも実装することができる。
【００３３】
無線データカード１０４は、ユーザ装置１０６への通信ネットワーク１０８のアクセスを可能にするために、無線媒体を通じて直接的に、または１つまたは複数の有線または無線の媒体を通じて間接的に、サービス・プロバイダ１１０−１、１１０−２、１１０に接続するように構成されている。説明および明瞭さを目的として、サービス・プロバイダ１１０−１、１１０−２、１１０−３、…、１１０−Ｎは、まとめておよび個々にサービス・プロバイダ（複数可）１１０と呼ばれる。サービス・プロバイダ１１０は、通信ネットワーク１０８を通じて接続されるものと示されているが、サービス・プロバイダ１１０は、ローカルに、または１つ若しくは複数の地理的な場所を横断して分散することができ、また物理的にまたは論理的に相互に接続できることを当業者は理解するであろう。また、サービス・プロバイダ１１０は、サーバ、メインフレーム・コンピュータ、スーパー・コンピュータなどに実装できることを当業者は理解するであろう。無線データカード１０４は、サービス・プロバイダ１１０の任意のものと所定の時間に通信することができ、また、異なる時点に異なるサービス・プロバイダと通信できることを当業者は理解するであろう。
【００３４】
通信ネットワーク１０８は、有線および無線ネットワークの組合せでもよい。通信ネットワーク１０８は、グローバル・システム・フォー・モバイル・コミュニケーションズ（ＧＳＭ）および符号分割多元接続（ＣＤＭＡ）標準の無線周波数到達範囲を通じてサービス・プロバイダによって実装することも、または有線ネットワークのさまざまなデジタル加入者線多重化装置（ＤＳＬＡＭ）に接続されたルータおよびアクセス・ポイントの使用を通じてサービス・プロバイダによって実装することもできる。通信ネットワーク１０８は、イントラネット、テレコム・ネットワーク、電気ネットワーク、ローカル・エリア・ネットワーク（ＬＡＮ）、広域ネットワーク（ＷＡＮ）、仮想プライベート・ネットワーク（ＶＰＮ）、インターネットワーク、グローバル・エリア・ネットワーク（ＧＡＮ）、インターネットなど、異なるタイプのネットワークのうちの１つとして実装することができる。通信ネットワーク１０８は、相互に通信するために、たとえば、ハイパーテキスト転送プロトコル（ＨＴＴＰ）、伝送制御プロトコル／インターネット・プロトコル（ＴＣＰ／ＩＰ）、ワイヤレス・アプリケーション・プロトコル（ＷＡＰ）などさまざまなプロトコルを使用する異なるタイプのネットワークの関連を表す、専用ネットワークまたは共有ネットワークでもよい。
【００３５】
一実施形態では、無線データカード１０４に実装されたディスプレイ・システム１０２は、とりわけ、無線データカードのディスプレイに、無線データカード１０４とサービス・プロバイダ１１０との間で交換されたデータの量を表示するように構成されている。一実装形態では、ディスプレイ・システム１０２は、無線データカード１０４によって送受信されたデータ・パケットに基づいて交換されたデータの量を評価する。さらに、ディスプレイ・システム１０２は、無線データカード１０４に関係する課金情報を表示するように構成することもできる。情報は、無線データカード１０４のディスプレイに表示することができる。一実装形態では、ディスプレイは、無線データカード１０４に統合される。
【００３６】
別の実装形態では、ディスプレイ・システム１０２は、無線データカード１０４に関係する課金情報を取得するために、サービス・プロバイダ１１０と通信するように構成されているため、課金情報は、ディスプレイ・システム１０２を通じてユーザ装置１０６のユーザに示すことができる。従って、ユーザは、ユーザによって利用されるデータ・プランに従って交換されたデータの量および課金情報を判定するためにワイヤレス・サービス・プロバイダのウェブ・ポータルにログオンするなどの一定の動作を実行する必要がなくなる。
【００３７】
図２は、本発明の一実施形態による無線データカード１０４の例示的なコンポーネントを示している。一実装形態では、ディスプレイ・システム１０２は、無線データカード１０４のディスプレイ２０２に、無線データカード１０４とサービス・プロバイダ１１０（図示せず）との間のデータ交換に関係する情報を表示することができる。無線データカード１０４とサービス・プロバイダ１１０との間のデータ交換は、サービス・プロバイダ１１０によって提供される通信ネットワーク１０８を通じて行うことができる。前述の実装形態では、交換されたデータは、無線データカード１０４によってサービス・プロバイダ１１０に送信されたデータ・パケットの量および無線データカード１０４によってサービス・プロバイダ１１０から受信されたデータ・パケットの量を含むことができる。ディスプレイ・システム１０２は、交換されたデータ・パケットを記録し、無線データカード１０４とサービス・プロバイダ１１０との間のデータ転送の合計量を判定するように構成されている。
【００３８】
ディスプレイ２０２は、無線データカード１０４に統合することができる。一実施形態では、ディスプレイ２０２は、数値ディスプレイ、英数字ディスプレイ、グラフィック・ディスプレイなどを含むことができる。ディスプレイ２０２は、セグメント型ディスプレイ、エレクトロ・ルミネセンス・ディスプレイ（ＥＬＤ）、プラズマ・ディスプレイ・パネル（ＰＤＰ）、有機発光ダイオード（ＯＬＥＤ）、発光ダイオード（ＬＥＤ）ディスプレイ、液晶ディスプレイ（ＬＣＤ）、および薄膜トランジスタＬＣＤ（ＴＦＴ−ＬＣＤ）など、当技術分野で既知の任意のディスプレイを含むことができる。
【００３９】
無線データカード１０４のディスプレイ・システム１０２は、インターフェース（複数可）２０３、１つまたは複数のプロセッサ（複数可）２０４、およびメモリ２０６など、プロセッサ２０４に結合されたメモリを含む。一実施形態では、記述したディスプレイ・システム１０２は、ディスプレイ２０２に接続された無線データカード１０４の統合部分を形成することができる。ディスプレイ・システム１０２は、無線データカード１０４に統合され、情報を交換し無線データカード１０４のディスプレイ２０２に情報を表示するために、無線データカード１０４と内部で通信することができる。別の実施形態では、ディスプレイ・システム１０２は、無線データカード１０４の外部にあってもよく、有線接続、有線ネットワークを通じた通信、または無線ネットワークを通じた通信など、利用可能な通信のさまざまな方法を通じて無線データカード１０４と通信することができる。
【００４０】
インターフェース２０３は、たとえば、キーパッド、ユーザ・インターフェース画面、および外部ディスプレイなど、周辺機器（複数可）のインターフェースなど、さまざまなソフトウェアおよびハードウェアのインターフェースを含むことができる。一実装形態では、インターフェース２０３は、無線データカード１０４のディスプレイ２０２にディスプレイ・システム１０２をインターフェースすることができる。さらに、インターフェース２０３は、ディスプレイ・システム１０２がユーザと通信することを可能にすることができる。インターフェース２０３は、無線データカード１０４との複数の通信を容易にすることができる。無線データカード１０４は、ワイヤレスＬＡＮ（ＷＬＡＮ）、セル方式、衛星などの無線ネットワークを含む、さまざまな種類のネットワークおよびプロトコルのタイプにおいて、サービス・プロバイダ１１０と通信することができる。一実装形態では、ディスプレイ・システム１０２は、また、サービス・プロバイダ１１０と通信することができる。前述の実装形態では、ディスプレイ・システム１０２は、無線データカード１０４を通じてサービス・プロバイダ１１０と通信することができる。説明したように、ディスプレイ・システム１０２は、サービス・プロバイダ１１０と通信するために、インターフェース２０２を介して無線データカード１０４と通信することができる。
【００４１】
プロセッサ（複数可）２０４は、１つまたは複数のマイクロプロセッサ、マイクロコンピュータ、マイクロコントローラ、デジタル信号プロセッサ、中央制御装置、ステート・マシン、論理回路、および／または運用命令に基づいて信号を操作する任意のデバイスとして実装することができる。他の機能の中で、プロセッサ（複数可）２０４は、メモリ２０６に格納されたコンピュータ可読命令を取り込み実行するように構成されている。
【００４２】
「プロセッサ（複数可）」として表記した機能ブロックを含む、図示するさまざまな要素の機能は、専用ハードウェア、ならびに適切なソフトウェアと連携してソフトウェアを実行する機能を有するハードウェアの使用を通じて提供することができる。プロセッサによって提供される場合、機能は、単一の専用プロセッサによって、単一の共用プロセッサによって、またはその一部を共有できる、複数の個々のプロセッサによって提供することができる。さらに、「プロセッサ」という用語の明示的な使用は、ソフトウェアを実行できるハードウェアを排他的に指すものと解釈するべきではなく、デジタル・シグナル・プロセッサ（ＤＳＰ）ハードウェア、ネットワーク・プロセッサ、特定用途向けＩＣ（ＡＳＩＣ）、フィールド・プログラマブル・ゲートアレイ（ＦＰＧＡ）、ソフトウェアを格納するための読み取り専用メモリ（ＲＯＭ）、ランダム・アクセス・メモリ（ＲＡＭ）、および不揮発性記憶装置を限定することなく、暗黙的に含むことができる。従来型および／またはカスタムの他のハードウェアも含むことができる。
【００４３】
メモリ２０６は、たとえば、静的ランダム・アクセス記憶装置（ＳＲＡＭ）およびダイナミック・ランダム・アクセス・メモリ（ＤＲＡＭ）などの揮発性メモリ、および／または読み取り専用メモリ（ＲＯＭ）、消去可能なプログラマブルＲＯＭ、フラッシュ・メモリ、ハードディスク、光ディスク、および磁気テープなどの不揮発性メモリなどを含む当技術分野で既知の任意のコンピュータ可読媒体を含むことができる。メモリ２０６はモジュール２０８およびデータ２１０を含む。モジュール２０８は、とりわけ、ルーチン、プログラム、オブジェクト、コンポーネント、データ構造などを含み、これらは特定のタスクを実行するか、または特定の抽象データ型を実装する。データ２１０は、とりわけ、１つまたは複数のモジュール２０８によって処理、受信、および生成されたデータを格納するためのレポジトリとして機能する。モジュール２０８は、たとえば、データ分析モジュール２１２、通信モジュール２１４、ディスプレイ・モジュール２１６、および他のモジュール２１８をさらに含む。他のモジュール２１８は、ディスプレイ・システム１０２でロジックおよびルーチンを補足するプログラムを含むことができる。データ２１０は、分析データ２２０、課金データ２２２、選好データ２２４、および他のデータ２２６など、１つまたは複数のモジュール２０８の実行の結果として生成されるデータを含む。分析データは、データ分析モジュール２１２によって分析されたデータを含むことができる。さらに、課金データ２２２は、データ分析モジュール２１２によって生成された無線データカード１０４の課金情報に関係するデータを格納することができる。
【００４４】
動作において、データ分析モジュール２１２は、無線データカード１０４とサービス・プロバイダ１１０との間で交換されたデータの記録を保持するように構成されている。交換されたデータの記録を保持するために、データ分析モジュール２１２は、無線データカード１０４によって送信されたデータ・パケットおよび無線データカード１０４によって受信されたデータ・パケットを識別する。無線データカード１０４によって送信または受信された各データ・パケットは、関連するサイズを有している。一実装形態では、データ分析モジュール２１２は、交換されたデータの合計量を判定するために、無線データカード１０４とサービス・プロバイダ１１０との間で交換された各パケットのサイズを確認する。無線データカード１０４とサービス・プロバイダ１１０との間の通信は、また、接続を確立するために一部の情報を交換できるが、交換されたデータを判定する目的のために、ユーザとサービス・プロバイダ１１０との間で交換されたパケットが識別されることを当業者は理解するであろう。
【００４５】
前述の実装形態では、データ分析モジュール２１２は、リアル・タイムでデータ・パケットの記録を更新するようにさらに構成されている。データ分析モジュール２１２は、無線データカード１０４とサービス・プロバイダ１１０との間で交換されたデータ・パケットを識別し、各パケットの関連するサイズを確認する。リアル・タイムで交換された合計データの量を判定するために、送受信されたデータ・パケットの数、およびそれらのサイズが交換のときに識別されることを当業者は理解するであろう。
【００４６】
たとえば、無線データカード１０４とサービス・プロバイダ１１０との間の通信の間に、交換されたデータを識別するために、無線データカード１０４がそれぞれ１．５Ｍｂの５つのデータ・パケットを送信する場合、データ分析モジュール２１２は、送信の前にパケットを識別し、数値を５として、合計サイズを７．５Ｍｂとして記録することができる。さらに、無線データカード１０４によって送信されたパケットに応じて、サービス・プロバイダ１１０は、それぞれ２Ｍｂの１０個のデータ・パケットで応答し、データ・パケットが受信されたら、データ分析モジュール２１２は、合計データの数およびサイズを識別することができる。一実装形態では、受信したデータの合計を識別するために、各データ・パケットのサイズは、データ・パケットを受信する順序で次々に識別されることを理解するであろう。しかし、送信された全データを識別するために、送信される合計サイズは、データ・パケットの実際の送信の前に判定することができる。
【００４７】
データ分析モジュール２１２は、また、送受信された合計データに基づいて交換されたデータの合計量を判定するように構成されている。一実装形態では、データ分析モジュール２１２は、交換されたデータの合計量を判定するために、送信されたデータの量および受信されたデータの量を組み合わせる。上記の例では、データ分析モジュール２１２は、交換されたデータの合計量が２７．５Ｍｂであるであることを識別することができ、また、交換されたデータ・パケットの合計数が１５であると識別することができる。前述の実装形態で、データ分析モジュール２１２は、受信されたデータ・パケット、送信されたデータ・パケット、交換されたデータ・パケットの合計数、および交換されたデータの合計量に関する情報を分析データ２２０に格納することができる。
【００４８】
本発明の一実施形態によると、データ分析モジュール２１２は、特定の予め決められた期間において交換されたデータの合計量を判定するように構成されている。各予め決められた期間において交換されたデータの合計量の判定は、周期的な単位で実施することができる。言い換えると、交換されたデータの判定された合計量または交換されたデータ・パケットの判定された合計数はリフレッシュされ、予め決められた期間に基づいて新しい期間の新しい情報として記録することができる。
【００４９】
一実装形態では、予め決められた期間は、無線データカード１０４に対してユーザによって選択されたデータ・プランに基づいてもよい。たとえば、サービス・プロバイダ１１０が毎月、選択されたデータ・プランについてユーザの請求書を生成する場合、データ分析モジュール２１２は、１か月に等しいように予め決められた期間にアクセスし、月単位で無線データカード１０４とサービス・プロバイダ１１０との間で交換されたデータの合計量を判定することができる。予め決められた期間が１か月である場合、１月について、データ分析モジュール２１２は、交換されたデータの合計量を判定することができる。しかし、２月について交換されたデータの量を決定するために、１月の間に交換されたデータを無視することができる。予め決められた期間は、また、１５日、２か月、３か月、６か月、または丸１年などでもよいことを当業者は理解するであろう。予め決められた期間は、ユーザによって選択されたデータ・プランに基づいていなくてもよく、ユーザ自身によって構成されてもよいことは理解されるであろう。
【００５０】
一実装形態では、サービス・プロバイダ１１０は、ユーザによって選択されたデータ・プランを問い合わせることができる。したがって、通信モジュール２１４は、インターフェース２０２を通じて無線データカード１０４と対話し、情報交換を目的としてサービス・プロバイダ１１０と通信するように構成されている。前述の実装形態では、通信モジュール２１４は、ユーザによって選択されたデータ・プランに関係する情報を取り込むように構成されている。前述の実装形態では、予め決められた期間は、ユーザによって選択されたデータ・プランに基づいて判定されることができる。
【００５１】
別の実装形態では、データ・プランおよび関連する予め決められた期間は、ユーザが提供することができる。ユーザは、インターフェース２０２を介して外部キーパッドを通じて詳細を提供することができる。一実施形態では、ユーザは、また、ユーザ装置１０６を通じて詳細を提供することができる。各予め決められた期間の間に交換されたデータの合計量を判定するために、ユーザによってこのように提供される詳細は、データ分析モジュール２１２によって利用される。
【００５２】
本発明の実施形態によると、ディスプレイ・モジュール２１６は、インターフェース２０２を通じて無線データカード１０４のディスプレイ２０２に、無線データカード１０４とサービス・プロバイダ１１０との間で交換されたデータの合計量を表示するように構成されている。ディスプレイは、セグメント型ディスプレイ、エレクトロ・ルミネセンス・ディスプレイ（ＥＬＤ）、プラズマ・ディスプレイ・パネル（ＰＤＰ）、有機発光ダイオード（ＯＬＥＤ）、発光ダイオード（ＬＥＤ）ディスプレイ、液晶ディスプレイ（ＬＣＤ）、および薄膜トランジスタＬＣＤ（ＴＦＴ−ＬＣＤ）など、当技術分野で既知の任意のディスプレイを含むことができる。ディスプレイを駆動するために、ディスプレイ・モジュール２１６は、無線データカード１０４のディスプレイ２０２に関連するディスプレイ・ドライバを含むことを当業者は理解するであろう。ディスプレイ・モジュール２１６は、分析データ２２０から交換されたデータの合計量に関する情報を取り込むことができる。すでに記述したように、無線データカード１０４とサービス・プロバイダ１１０との間で交換されたデータの合計量に関する情報は識別され、データ分析モジュール２１２によって分析データ２２０に格納される。
【００５３】
さらに、ディスプレイ・モジュール２１６は、また、ユーザの選好に基づいてディスプレイについての情報を表示するように構成されている。ユーザは、また、インターフェース２０２を通じてディスプレイ・システム１０２に結合されたキーパッドを通じて選好を指定することができるか、またはユーザ装置１０６（図示せず）を通じて選好を指定することができる。一実装形態では、ユーザの選好は、選好データ２２４に格納される。一例では、ユーザは、無線データカード１０４とサービス・プロバイダ１１０との間で交換されたデータの合計量を見ることを希望してもよい。しかし、別の例では、別のユーザは、無線データカード１０４によって送信されたデータの合計量および無線データカード１０４によって受信されたデータの合計量に関する情報を別々に表示することを希望してもよい。ユーザは、また、交換されたデータ・パケットの合計数を表示することを希望してもよく、または送受信されたパケットの数を別々に表示することを選択することもできる。
【００５４】
ディスプレイ・モジュール２１６は、異なる形式でユーザの選好により情報を表示することもできる。たとえば、交換されたデータの合計量に関する情報を表すために、ディスプレイ・モジュール２１６は、数字の形式で量を表すことができる。一実装形態では、ディスプレイ・モジュール２１６は、グラフの形式で情報を表示することができる。グラフ形式で情報を表現する場合には、グラフは、段階的な方法で無線データカード１０４とサービス・プロバイダ１１０との間で交換されたデータの合計量を表して、過去の日々に交換されたデータの合計量の段階的な増加を示すことができる。一例では、ディスプレイ・モジュール２１６は、交換されたデータの合計量が針（ｎｅｅｄｌｅ  ａｒｍ）の表示によって表されるアナログ・ダイヤル・ゲージの形式で、情報を表すこともできる。ディスプレイ・モジュール２１６は、ユーザの選好に依存して多数の形式で情報を表すことができることは理解されるであろう。
【００５５】
一実装形態では、ディスプレイ・モジュール２１６は、リアル・タイムにディスプレイに表示される情報をリフレッシュするように構成されている。すでに説明したように、交換されたデータ・パケットの数および交換されたデータの合計量の情報は、リアル・タイムにデータ分析モジュール２１２によって判定され、リアル・タイムに分析データ２２０に格納される。したがって、前述の実装形態で、ディスプレイ・モジュール２１６は、リアル・タイムに分析データ２２０から情報を取り込むことができ、無線データカードのディスプレイ２０２に更新された最新の使用可能情報を表示することができる。
【００５６】
ディスプレイ・モジュール２１６は、また、データ交換履歴を表示するように構成されている。データ交換履歴は、過去の期間に無線データカード１０４とサービス・プロバイダ１１０との間で交換されたデータの合計量を含むことができる。過去データの期間は、予め決められた時間に基づいてもよい。たとえば、予め決められた期間が２か月で、ユーザが８月にデータ交換履歴を見ることを選択した場合、ディスプレイ・モジュール２１６は、分析データ２２０から情報を取り込んで、６月から７月まで、３月から４月などに交換されたデータの量を表示することができる。同様に、予め決められた期間が１年である場合、データ交換履歴は、前年に交換されたデータの合計量を示すことができる。
【００５７】
本発明の実装形態によると、ディスプレイ・システム１０２は、ユーザに課金情報を提供するようにも構成されている。この目的のために、すでに記述したように、データ・プランは、通信モジュール２１４によってサービス・プロバイダ１１０から受信されることができ、また、ユーザが提供することもできる。すでに記述したように、データ使用量に応じてユーザに課金するために、複数のデータ・プランがサービス・プロバイダ１１０によって提供される。さらに、そのようなデータ・プランでは、たとえば、無線データカード１０４とサービス・プロバイダ１１０との間で予め決められた時間に交換できるデータの量を制限することができる。
【００５８】
さらに異なるデータ・プランでは、ユーザが予め決められた時間において種々のデータ転送制限の中から選択することが可能になる。たとえば、あるデータ・プランでは、１か月の期間に１ＧＢのデータ制限を許可することができ、他のデータ・プランでは、２か月の期間に５ＧＢのデータ制限を許可することができる。さらに、データ・プランは、予め決められた時間間隔の間のデータ転送に対して、サービス・プロバイダ１１０によってユーザに課金される額を示すこともできる。さらに、データ転送制限を超えたデータ交換に対する料金もデータ・プランで提供され、プランによって変わることがある。たとえば、１か月に１ＧＢのデータ制限を許可するデータ・プランに対し、ｘルピーという額をユーザに課金することができる。同様に、２か月に５ＧＢのデータ制限を許可するデータ・プランに対し、ｙルピーという額をユーザに課金することができる。したがって、異なるデータ・プランに対して、異なる額を課金できることは理解されるであろう。さらに、１か月に１ＧＢというデータ制限を提供するデータ・プランにおいて、ユーザが当該１ＧＢのデータ交換の制限を超えた場合、ｚパイサ／ＫＢという料金を課金することができる。データ・プランでは、特別な時間またはサービス・タイムとして特定の期間をさらに指定し、その間、データ転送の速度は、デフォルトのデータ転送速度を超える、またはそれ未満であってもよい。
【００５９】
したがって、通信モジュール２１４によって受信された、またはユーザから受信されたデータ・プラン情報は、ユーザの課金情報を評価するために、データ分析モジュール２１２が利用することができる。交換されたデータの合計量、データ・プランによって制限されたデータ制限、およびデータ・プランに含まれる料金体系に基づいて、データ分析モジュール２１２は、予め決められた時間に対するユーザの課金情報を評価することができる。評価された課金情報は、メモリ２０６の課金データ２２２に格納することができる。一実装形態では、データ分析モジュール２１２によって評価および格納された課金データ２２２に存在する課金情報は、ディスプレイ・モジュール２１６によって無線データカード１０４のディスプレイ２０２に表示される。データ交換情報の表示と同様に、課金情報は、ユーザの選好に基づいて、異なる形式でディスプレイ・モジュール２１６によって表示できることは理解されるであろう。
【００６０】
すでに記述したように、ユーザの無線データカード１０４とサービス・プロバイダ１１０との間のデータ交換の合計量を識別するために、ウェブ・アプリケーションまたはオペレーティング・システムのアプリケーションのいずれかを通じてサービス・プロバイダ１１０に問い合わせる従来の技法を利用することができる。したがって、一実装形態では、通信モジュール２１４は、サービス・プロバイダ１１０から、無線データカード１０４に対する課金情報および交換されたデータの合計量を直接的に受信するように構成されている。受信した情報に基づいて、ディスプレイ・モジュール２１６は、無線データカードのディスプレイ２０２に情報を表示することができる。しかし、そのような状況で受信された課金およびデータ交換の情報は更新されていない可能性があるため、所定の時点における実際の正確な情報を表していない可能性があることは理解されるであろう。
【００６１】
さらに、通信モジュール２１４は、サービス・プロバイダ１１０によってユーザに提供される適用可能なデータ転送速度を種々の時点で取得し、表示のためにディスプレイ・モジュール２１６に情報を提供することもできる。たとえば、日中にサービス・プロバイダ１１０によって提供されたデータ転送速度がｎＭＢ／秒であり、夜間にデータ転送速度がｍＭＢ／秒である場合、ディスプレイ・モジュール２１６は、日中のデータ転送速度をｎＭＢ／秒、夜間はｍＭＢ／秒として表示することができる。
【００６２】
通信モジュール２１４とサービス・プロバイダ１１０との間の相互通信の間、交換されたデータ・パケットは、データ分析モジュール２１２によって識別され、ユーザに対して生成される請求に反映させることができることは理解されるであろう。さらに、ディスプレイ・モジュール２１６は、アクセスまたは利用中であることをユーザに改めて知らせるための警報表示を生成するようにも構成されている。一実装形態では、選択されたデータ・プランに基づいてサービス・プロバイダ１１０によってユーザに提供されたデータ制限をユーザが超えた場合、ディスプレイ・モジュール２１６は、ユーザに警告するために、無線データカード１０４のディスプレイ２０２において警告信号を点滅させることができる。同様に、一定の期間、ユーザが特定のしきい値までデータを交換しない場合、ディスプレイ・モジュール２１６は、ディスプレイにおいて警報を点滅させることができる。警報の点滅は、無線データカードのディスプレイ２０２に表示される赤色の光またはアニメーションでもよいことは理解されるであろう。
【００６３】
図３および図４は、本発明の実装形態に従って、無線データカードに情報を表示するための例示的な方法３００および４００を示している。図３は、無線データカードのディスプレイに、無線データカードとサービス・プロバイダとの間のデータ交換情報を表示するための方法を示す一方、図４は、無線データカードのディスプレイに課金情報を表示するための方法を示している。方法は、無線データカードのディスプレイに情報を表示するために提供される。本発明の範囲から逸脱することなく、情報を表示するための同様の方法を他のデータカードに実装できることは理解されるであろう。
【００６４】
方法が記述されている順序は、制限として解釈されることを意図するものではなく、任意の数の上記方法のブロックを、その方法または代替方法を実装するために任意の順序に組み合わせることができる。さらに、個々のブロックは、本明細書に記述された内容の趣旨および範囲から逸脱することなく、方法から削除することができる。さらに、方法は、任意の適切なハードウェア、ソフトウェア、ファームウェア、またはそれらの組合せに実装することができる。
【００６５】
当業者は、プログラムされたコンピュータによって方法のステップを実行できることを容易に認識するであろう。本明細書において、一部の実施形態は、また、機械またはコンピュータで読み取り可能であり、装置で実行可能またはコンピュータで実行可能なプログラム命令をエンコードする、たとえば、デジタル・データ記憶媒体など、プログラム記憶装置を包含することを意図するものであり、前述の命令は、記述した方法のステップの一部またはすべてを実行する。プログラム記憶装置は、たとえば、デジタル・メモリ、磁気ディスクや磁気テープなどの磁気記憶装置媒体、ハードドライブ、または光学的に読み取り可能なデジタル・データ記憶装置媒体などでもよい。実施形態は、また、例示的な方法の前述のステップを実行するように構成された通信ネットワーク１０８およびユーザ装置１０６の両方を包含することを意図するものである。
【００６６】
図３には、無線データカードのディスプレイに、無線データカードとサービス・プロバイダとの間のデータ交換情報を表示するための方法が示されている。ブロック３０２では、無線データカードとサービス・プロバイダとの間で交換されたデータの合計量が判定される。一実装形態では、交換されたデータの合計量は、無線データカードによって送受信されたデータ・パケットのサイズに基づいて判定される。無線データカードによって受信された各データ・パケットのサイズおよび送信された各データ・パケットのサイズは、交換されたデータの合計量を判定するために、無線データカード内に記録される。前述の実装形態では、交換されたデータの合計量は、さらに使用するためにメモリに格納される。
【００６７】
他の実装形態では、交換されたデータの合計量は、サービス・プロバイダから受信される。ユーザに接続を配布するサービス・プロバイダは、概して、各ユーザによって交換されたデータの量を監視する。したがって、無線データカードによって交換されたデータの合計量を識別するために、サービス・プロバイダに問い合わせることができる。
【００６８】
ブロック３０４で、無線データカードの使用に関係するデータが受信される。一実装形態では、使用に関係するデータは、これらに限定しないが、ユーザによって選択されたデータ・プラン、データ・プランによってユーザに提供されるデータ制限、サービス・プロバイダによって提供されるデータ転送速度、およびデータ・プランに基づいて予め決められた期間を含むことができる。一実装形態における使用に関係するデータは、サービス・プロバイダから受信される。サービス・プロバイダは、データ・プラン、データ制限、および予め決められた期間に関する詳細を提供するよう問い合わせを受ける。別の実装形態では、サービス・プロバイダは、データの使用に関係する料金を提供することもできる。適用可能な料金は、ユーザのデータ・プランに基づいており、過剰な使用がある場合にユーザに課すべき課金を提供できることは理解されるであろう。
【００６９】
別の実装形態では、使用に関係するデータは、ユーザから受信することができる。ユーザは、選択され、データ・プランによって提供されるデータ制限とともに適用可能なデータ・プランを記述することができる。ユーザは、また、予め決められた期間を選択することができる。ユーザによって選択された予め決められた期間は、データ・プランに基づいてもよいし、またはユーザの選択でもよいことは理解されるであろう。
【００７０】
ブロック３０６で、少なくとも１つのユーザ・ディスプレイの選好が受信される。一実装形態では、ユーザ・ディスプレイの選好は、データ交換情報の表示の選択を含むことができる。ユーザは、無線データカードとサービス・プロバイダとの間で交換されたデータの合計量を閲覧することにより、無線データカードによって受信されたデータの量および送信されたデータの量を見ることを希望してもよい。さらに、ユーザは、また情報が表示される形式を選択することができる。たとえば、ユーザは、情報を数値で表示するよりも、交換されたデータの量をグラフ表示することを希望してもよい。
【００７１】
ブロック３０８で、交換されたデータに関する判定された合計量は、使用に関係するデータおよび少なくとも１つのユーザ・ディスプレイの選好に基づいて、無線データカードのディスプレイに表示される。一実装形態では、情報の表示は、サービス・プロバイダによって提供されるデータ制限、および無線データカードとサービス・プロバイダとの間のデータ転送速度も含む。
【００７２】
図４では、無線データカードのディスプレイに課金情報を表示するための方法が示される。ブロック４０２で、無線データカードとサービス・プロバイダとの間で交換されたデータの合計量が判定される。一実装形態では、交換されたデータの合計量は、無線データカードによって送受信されたデータ・パケットのサイズに基づいて判定される。無線データカードによって受信された各データ・パケットのサイズおよび送信された各データ・パケットのサイズは、交換されたデータの合計量を判定するために記録される。前述の実装形態では、交換されたデータの合計量は、さらに使用されるため、メモリに格納される。
【００７３】
他の実装形態では、交換されたデータの合計量は、サービス・プロバイダから受信される。ユーザに接続を提供するサービス・プロバイダは、概して、各ユーザによって交換されるデータの量を監視する。したがって、無線データカードによって交換されたデータの合計量を識別するために、サービス・プロバイダに問い合わせることができる。
【００７４】
ブロック４０４で、無線データカードに関連するデータ・プランが識別される。概して、サービス・プロバイダは、異なる要求を有するユーザに対して複数の異なるデータ・プランを配布する。一実装形態では、ユーザによって選択されたデータ・プランが識別される。すでに記述したように、ユーザによって選択されたデータ・プランは、データ転送制限、ユーザに提供されるデータ転送の速度、および過剰使用の場合にユーザに課される料金を含むことができる。
【００７５】
ブロック４０６で、交換されたデータの量およびデータ・プランに基づいて、無線データカードの課金情報が判定される。一実装形態では、無線データカード間で交換されたデータの合計量の情報は、課金情報を判定するために、データ・プランに従って適用可能な料金と組み合わせる。たとえば、ユーザによって選択されたデータ・プランは、１００ＭＢの自由に交換できるデータ制限を提供することができ、データ制限の使用量を超えて１０パイサ／ＫＢの料金を適用可能な場合もある。そのようなシナリオでは、１５１ＭＢのデータ転送を完了したユーザの課金情報は、１ＭＢの過剰使用に基づいて判定することができる。上記のシナリオでは、ユーザの料金プランに従って、１ＭＢの過剰使用に対して１００ルピーをユーザに課金することができる。他の実装形態では、課金情報は、また、サービス・タイム、祝祭シーズンなど異なる機会の間に、サービス・プロバイダによって提供される割引および課金の詳細を含むことができる。
【００７６】
ブロック４０８で、ユーザの課金情報は、無線データカードのディスプレイに表示される。一実装形態では、課金情報は、ユーザの選好により表示される。ユーザは、特定の形式で課金情報を見ることを選択することができる。たとえば、ユーザは、課金情報の合計を表示するのではなく、送信されたデータおよび受信されたデータの課金情報を別々に見ることを望んでもよい。
【００７７】
したがって、ユーザの無線データカードのデータ交換および課金情報を判定するための改良された方法および無線データカードは、正確かつリアル・タイムな情報を提供することができる。一方では、情報をローカルで判定することで、ユーザにリアル・タイムの更新および情報への迅速なアクセスを提供しながら、他方では、サービス・プロバイダから直接問い合わせられた情報によって、ユーザ識別情報によるログインおよび専用アプリケーションを必要とせずに、手間をかけずに便利な情報へのアクセスが可能になる。
【００７８】
無線データカードのディスプレイに情報を表示するための実装形態について、構造的特徴および／または方法に関して詳細に記述したが、添付した特許請求の範囲は、記述した特定の機能または方法に必ずしも限定されないことは理解されるであろう。むしろ、特定の機能および方法は、無線データカードのディスプレイに情報を表示するための例示的な実装形態として開示されている。
【図１】
2014525153.tif 000003
【図２】
2014525153.tif 000004
【図３】
2014525153.tif 000005
【図４】
2014525153.tif 000006
【国際調査報告】
2014525153.tif 000007
2014525153.tif 000008
2014525153.tif 000009